(57)【要約】【課題】タッチスクリーンを備えた装置及びそのタッチ認識方法を提供する。【解決手段】本発明のタッチ認識方法は、タッチが入力されるとタッチが入力された位置を確認するステップと、タッチの位置が変更されると変更された位置を確認するステップと、変更された位置でタッチ解除が発生するとタッチが入力された位置でタッチが解除されたと認識するステップと。を有する。本発明により、タッチスクリーンを備えた携帯端末機はユーザの意図に合わせてタッチを認識することができ、それによってタッチ感度が向上する効果が発生する。【選択図】図２
2010287241.tif 000002
【特許請求の範囲】
【請求項１】
タッチスクリーンを備えた装置のタッチ認識方法であって、
タッチが入力されるとタッチ入力が前記タッチスクリーン上で活性化されるステップと、
前記タッチ入力の活性化の開始から終了までの前記タッチ入力の位置変更を判断するステップと、
前記判断されたタッチ入力の変更された位置でタッチ解除が発生すると、前記タッチ入力の活性化の開始位置で前記タッチ入力が解除されたと認識するステップと、を有することを特徴とするタッチ認識方法。
【請求項２】
前記タッチ入力が解除されたと認識するステップは、
前記タッチ入力の活性化の開始から終了までの前記タッチ入力の位置距離が、予め設定された臨界値以下に該当するか否かを判断するステップを更に含むことを特徴とする請求項１に記載のタッチ認識方法。
【請求項３】
前記タッチ入力が解除されたと認識するステップは、
前記臨界値以下であると判断する場合、前記タッチ入力の活性化の開始位置で前記タッチ入力が解除されたと認識することを特徴とする請求項２に記載のタッチ認識方法。
【請求項４】
前記タッチ入力が解除されたと認識するステップは、
前記臨界値を超過すると判断する場合、前記タッチ入力をドラッグ（ｄｒａｇ）動作と認識することを特徴とする請求項２に記載のタッチ認識方法。
【請求項５】
タッチが入力される全体領域が複数の区分領域で区分されることを特徴とする請求項１に記載のタッチ認識方法。
【請求項６】
前記タッチ入力が解除されたと認識するステップは、
前記タッチ入力の活性化の開始と終了の前記タッチ入力位置に該当する区分領域が同一であるか否かを判断するステップを更に含むことを特徴とする請求項５に記載のタッチ認識方法。
【請求項７】
前記タッチ入力が解除されたと認識するステップは、
前記タッチ入力の活性化の開始と終了の前記タッチ入力位置に該当する区分領域が同一でない場合、前記タッチ入力の活性化の開始位置で前記タッチ入力が解除されたと認識することを特徴とする請求項６に記載のタッチ認識方法。
【請求項８】
タッチスクリーンを備えた装置であって、
タッチの入力又は解除を感知してタッチ信号を生成するタッチセンサーと、
前記タッチセンサーから生成された前記タッチ信号を受信して、タッチ入力とタッチ解除の位置変更を判断し、該変更された位置でタッチ解除が発生すると、前記タッチが入力された位置で前記タッチが解除されたと認識する制御部と、を備えることを特徴とする装置。
【請求項９】
前記制御部は、
前記タッチが入力された位置及びタッチ解除位置間の距離が、予め設定された臨界値以下に該当するか否かを判断することを特徴とする請求項８に記載の装置。
【請求項１０】
前記制御部は、
前記タッチが入力された位置及びタッチ解除位置間の距離が、予め設定された臨界値を超過する場合、前記タッチ入力をドラッグ動作と認識することを特徴とする請求項９に記載の装置。
【請求項１１】
前記制御部は、
タッチ入力位置とタッチ解除位置とが特定の区分領域内に位置する場合、タッチ解除がタッチ入力の位置で発生したと認識することを特徴とする請求項８に記載の装置。
【請求項１２】
タッチ認識方法であって、
タッチが入力されると該タッチが入力された位置を確認するステップと、
前記タッチの位置が変更されると該変更された位置を確認するステップと、
前記変更された位置でタッチ解除が発生すると、前記タッチが入力された位置で前記タッチが解除されたと認識するステップと、を有することを特徴とするタッチ認識方法。
【請求項１３】
前記タッチが入力された位置及び前記変更された位置間の距離が、予め設定された臨界距離以下に該当するか否かを判断するステップを更に含み、
前記タッチが解除されたと認識するステップは、
前記臨界距離以下に該当する場合、前記変更された位置でタッチ解除が発生すると、前記タッチが入力された位置で前記タッチが解除されたと認識することを特徴とする請求項１２に記載のタッチ認識方法。
【請求項１４】
タッチが入力される全体の領域が複数の区分領域で区分され、前記タッチが入力された位置が含まれる区分領域と、前記変更された位置が含まれる区分領域とが、同一の区分領域に該当するか否かを判断するステップを更に含み、
前記タッチが解除されたと認識するステップは、
前記同一の区分領域に該当しない場合、前記変更された位置でタッチ解除が発生すると、前記タッチが入力された位置で前記タッチが解除されたと認識することを特徴とする請求項１２に記載のタッチ認識方法。
【発明の詳細な説明】
【技術分野】
【０００１】
本発明は、タッチスクリーンを備えた装置のタッチ認識方法（ＭＥＴＨＯＤ  ＦＯＲ  ＲＥＣＯＧＮＩＺＩＮＧ  ＴＯＵＣＨ  ＩＮＰＵＴ  ＩＮ  ＴＯＵＣＨ  ＳＣＲＥＥＮ  ＢＡＳＥＤ  ＤＥＶＩＣＥ）に関し、より詳細には、タッチ入力とタッチ解除の位置が異なる場合において、位置を補正してタッチを認識する方法及びその方法が適用されるタッチスクリーンを備えた装置に関する。
【背景技術】
【０００２】
最近、携帯端末機の普及率が急速に増加し、携帯端末機はもはや現代人の生活必需品となっている。このような携帯端末機は、固有の音声通話サービスだけでなく各種データの伝送サービスや多様な付加サービスも提供できるようになり、機能上マルチメディア通信機器に変貌するようになった。
【０００３】
タッチスクリーン基盤の携帯端末機が開発され、タッチＵＩ（Ｕｓｅｒ  Ｉｎｔｅｒｆａｃｅ）技術が継続的に研究されており、ユーザは多様なタッチ入力によって携帯端末機を操作できるようになった。一般的に、携帯端末機に使用されるタッチスクリーンは、ユーザがタッチパネルにタッチを入力するとｘ、ｙ抵抗値により位置を認識する。スタイラスペンやその他の先端がとがっている物体でタッチパネルにタッチを入力する場合には、タッチを入力する時の位置とタッチを解除する時の位置とがほとんど一致する。しかし、指のように伸縮性のある広い面でタッチパネルにタッチを入力する場合には、タッチ入力の位置とタッチ解除の位置とが変わる場合がある。図７のように、ユーザがタッチを入力する際にはユーザの指が「ｘ」の部分をタッチしたが、図８のように、ユーザがタッチを解除する際には「ｏ」の部分で指を離す場合が発生し得る。このような場合、携帯端末機は、ユーザの意図とは違った座標値でタッチが入力されたと認識し、これはタッチ感度を落とす原因として作用し得る。その結果、正確でない入力が記録されるか、活性化され得る。
【発明の概要】
【発明が解決しようとする課題】
【０００４】
本発明は、上記従来の問題点に鑑みてなされたものであって、本発明の目的は、タッチの入力部分と解除部分とが相違する位置を有する場合、これを補正してタッチを認識する方法及びその方法が適用されるタッチスクリーンを備えた装置を提供することにある。
【課題を解決するための手段】
【０００５】
上記目的を達成するためになされた本発明の一特徴によるタッチ認識方法は、タッチスクリーンを備えた装置のタッチ認識方法であって、タッチが入力されるとタッチ入力が前記タッチスクリーン上で活性化されるステップと、前記タッチ入力の活性化の開始から終了までの前記タッチ入力の位置変更を判断するステップと、前記判断されたタッチ入力の変更された位置でタッチ解除が発生すると、前記タッチ入力の活性化の開始位置で前記タッチ入力が解除されたと認識するステップと、を有する。
【０００６】
上記目的を達成するためになされた本発明の一特徴によるタッチスクリーンを備えた装置は、タッチの入力又は解除を感知してタッチ信号を生成するタッチセンサーと、前記タッチセンサーから生成された前記タッチ信号を受信して、タッチ入力とタッチ解除の位置変更を判断し、該変更された位置でタッチ解除が発生すると、前記タッチが入力された位置で前記タッチが解除されたと認識する制御部と、を備える。
【０００７】
上記目的を達成するためになされた本発明の他の特徴によるタッチ認識方法は、タッチが入力されると該タッチが入力された位置を確認するステップと、前記タッチの位置が変更されると該変更された位置を確認するステップと、前記変更された位置でタッチ解除が発生すると、前記タッチが入力された位置で前記タッチが解除されたと認識するステップと、を有する。
【発明の効果】
【０００８】
本発明のタッチ認識方法によれば、タッチスクリーンを備えた携帯端末機は、ユーザの意図に合わせてタッチを認識することができ、これによってタッチ感度が向上する効果が発生する。
【図面の簡単な説明】
【０００９】
【図１】本発明の一実施例による携帯端末機の構成図である。
【図２】本発明の第１実施例によるタッチスクリーンを備えた装置におけるタッチ認識ステップを表すフローチャートである。
【図３】本発明の一実施例によるドラッグ動作を区分するための臨界距離を示した例示図である。
【図４】本発明の一実施例によるタッチ認識方法が適用されるアプリケーション表示画面の例示図を表す。
【図５】本発明の一実施例による図４のアプリケーション表示画面中の（ａ）部分を座標値に対応させて示した例示図である。
【図６】本発明の第２実施例によるタッチスクリーンを備えた装置におけるタッチ認識ステップを表すフローチャートである。
【図７】本発明の一実施例による、ユーザがタッチを入力する時のタッチ位置を表す図面である。
【図８】本発明の一実施例による、ユーザがタッチを解除する時のタッチ位置を表す図面である。
【発明を実施するための形態】
【００１０】
本発明の実施例による「タッチ入力」はユーザがタッチ器具（指等）でタッチスクリーンをタッチする動作に該当する。本発明の実施例による「タッチ解除」はユーザがタッチスクリーンからタッチ器具を離す動作に該当する。
【００１１】
以下、本発明のタッチスクリーンを備えた装置及びそのタッチ認識方法を実施するための形態の具体例を、図面を参照しながら詳細に説明する。ここで、図面において、同一の構成要素はなるべく同一の符号で表す。また、本発明の要旨を曖昧にし得る公知機能及び構成に関する詳細な説明は省略する。
【００１２】
本発明の実施例では携帯端末機を例に挙げて説明するが、これに限定されず、テレビ、コンピュータ、ノートブックコンピュータといった大型ディスプレーを備えた機器にも適用することができる。本発明の実施例による携帯端末機は、タッチスクリーンを備えた端末機であり、好ましくは移動通信端末機、携帯用マルチメディア再生装置（Ｐｏｒｔａｂｌｅ  Ｍｕｌｔｉｍｅｄｉａ  Ｐｌａｙｅｒ：ＰＭＰ）、個人情報端末機（Ｐｅｒｓｏｎａｌ  Ｄｉｇｉｔａｌ  Ａｓｓｉｓｔａｎｔ：ＰＤＡ）、スマートフォーン（Ｓｍａｒｔ  Ｐｈｏｎｅ）、ＭＰ３プレーヤーといった全ての情報通信機器及びマルチメディア機器や、それに対する応用にも適用することができる。
【００１３】
図１は、本発明の一実施例による携帯端末機の構成図である。
【００１４】
無線通信部１１０は携帯端末機の無線通信のための該当データの送受信機能を遂行する。無線通信部１１０は、送信する信号の周波数をアップ変換及び増幅するＲＦ送信機と、受信する信号を低雑音増幅して周波数をダウン変換するＲＦ受信機等で構成され得る。また、無線通信部１１０は、無線チャンネルを介してデータを受信して制御部１６０に出力し、制御部１６０から出力されたデータを、無線チャンネルを介して伝送することができる。
【００１５】
オーディオ処理部１２０はコーデックで構成することができ、コーデックは、パケットデータ等を処理するデータコーデックと音声等のオーディオ信号を処理するオーディオコーデックとを備える。オーディオ処理部１２０は、デジタルオーディオ信号を、オーディオコーデックを介してアナログオーディオ信号に変換し、スピーカー（ＳＰＫ）を介して再生し、マイク（ＭＩＣ）から入力されたアナログオーディオ信号を、オーディオコーデックを介してデジタルオーディオ信号に変換する。
【００１６】
格納部１３０は、携帯端末機の動作に必要なプログラム及びデータを格納する役割を果たし、プログラム領域とデータ領域とに区分し得る。本実施例による格納部１３０は、ユーザのタッチ入力とタッチ解除とを認識するプログラムを格納する。また、格納部１３０は、ドラッグ動作と認識する臨界距離に関する情報を格納することができる。本実施例による格納部１３０は、全体のタッチ領域が少なくとも一つの区分領域で区分される場合、それぞれの区分領域が占める座標範囲及び区分領域のタッチ時に遂行する機能に関する情報を格納することができる。格納部１３０は、それぞれのアプリケーションごとに区分領域に関する情報を格納することができる。
【００１７】
タッチスクリーン部１４０はタッチセンサー１４２及び表示部１４４を含む。タッチセンサー１４２は、タッチ器具がタッチスクリーンに接触したか否かを感知する役割を果たす。タッチ器具にはユーザの指又はタッチペン（スタイラスペン）等が該当する。タッチセンサー１４２は、静電容量方式（ｃａｐａｃｉｔｉｖｅ  ｏｖｅｒｌａｙ）、圧力式抵抗膜方式（ｒｅｓｉｓｔｉｖｅ  ｏｖｅｒｌａｙ）、赤外線感知方式（ｉｎｆｒａｒｅｄ  ｂｅａｍ）等のタッチ感知センサーで構成するか、圧力センサー（ｐｒｅｓｓｕｒｅ  ｓｅｎｓｏｒ）で構成することもできるが、これに限定されず、物体の接触又は圧力が感知できる全ての種類のセンサーが本発明のタッチセンサー１４２に該当し得る。タッチセンサー１４２は表示部１４４に付着して形成することができ、それ以外にも携帯端末機の一面又は一側に形成することができる。タッチセンサー１４２は、タッチスクリーンへのユーザのタッチ入力を感知し、タッチ信号を発生させて制御部１６０に伝送する役割を果たす。タッチ信号はタッチが入力された位置情報を含むことができる。本実施例によるタッチセンサー１４２は、タッチ解除を感知し、タッチが解除された位置情報を含むタッチ信号を発生させて制御部１６０に伝送する。また、タッチセンサー１４２は、入力されたタッチの位置が変更されたことを感知し、変更されたタッチ位置情報を含むタッチ信号を発生させて制御部１６０に伝送する。
【００１８】
表示部１４４は液晶表示装置（ＬＣＤ：Ｌｉｑｕｉｄ  Ｃｒｙｓｔａｌ  Ｄｉｓｐｌａｙ）で形成することができ、携帯端末機のメニュー、入力されたデータ、機能設定情報、及びその他の多様な情報をユーザに視覚的に提供する。例えば、表示部１４４は、携帯端末機の起動画面、待機画面、表示画面、通話画面、その他のアプリケーション実行画面を出力する機能を遂行する。本実施例による表示部１４４は、制御部１６０の制御によって格納部１３０に格納されたイメージを表示する役割を果たす。本実施例による表示部１４４は、全体のタッチ領域が少なくとも一つの区分領域で区分される場合、それぞれの区分領域を区分して表示することができる。
【００１９】
キー入力部１５０は携帯端末機を制御するためのユーザのキー操作信号を入力して制御部１６０に伝達する。キー入力部１５０は数字キー、方向キーを含むキーパッドで構成することができ、携帯端末機の一側面に所定の機能キーで形成することもできる。本発明の実施例として、タッチセンサー１４２のみで全ての操作が可能な携帯端末機の場合には、キー入力部１５０を省略することもできる。
【００２０】
制御部１６０は携帯端末機の全般の動作を制御する機能を遂行する。本実施例による制御部１６０は、タッチセンサー１４２からタッチ信号を入力してタッチが入力された位置を確認する。また、制御部１６０は、タッチセンサー１４２からタッチ信号を入力して、変更されたタッチの位置又はタッチが解除された位置を確認する。制御部１６０は、変更されたタッチの位置でタッチが解除されたことを確認すると、タッチが入力された位置でタッチが解除されたと認識する。本実施例により、制御部１６０は、タッチが入力された位置と変更された位置との距離を判断し、予め設定された臨界距離以下に該当すると判断すれば、タッチが入力された位置でタッチが解除されたと認識する。本実施例により、全体のタッチ領域が少なくとも一つの区分領域で区分される場合、制御部１６０はタッチが入力される全体領域を複数の区分領域で区分して認識し、タッチが入力された位置が含まれる区分領域と変更された位置が含まれる区分領域とが、同一の区分領域に該当するか否かを判断し、同一の区分領域に該当しないと判断する場合、変更された位置でタッチ解除が発生すると、タッチが入力された位置でタッチが解除されたと認識する。
【００２１】
図２は、本発明の第１実施例によるタッチスクリーンを備えた装置におけるタッチ認識ステップを表すフローチャートである。
【００２２】
２０５ステップで、制御部１６０はタッチセンサー１４２を制御してユーザからタッチが入力されたか否かを判断する。タッチセンサー１４２は、ユーザからタッチが入力されるとタッチ入力信号を発生させて制御部１６０に伝達する。制御部１６０が、タッチセンサー１４２からタッチ入力信号を受信すると、２１０ステップでタッチが入力された位置（ｘ１，ｙ１）を確認する。本実施例によるタッチセンサー１４２は、一つのピクセル（ｐｉｘｅｌ）単位でタッチを認識することができ、この場合、タッチセンサー１４２は、タッチが入力されたピクセルの座標値に関する情報を含むタッチ入力信号を発生させて制御部１６０に伝達する。本実施例により、タッチセンサー１４２は、ピクセル間の間隔より大きい間隔単位でタッチを認識することができ、この場合、タッチセンサー１４２は、一定間隔に設定された座標でタッチが入力された座標値に関する情報を含むタッチ入力信号を発生させて制御部１６０に伝達することができる。制御部１６０は、タッチセンサー１４２からタッチ入力信号を受信し、タッチが入力された位置（ｘ１，ｙ１）を確認する。
【００２３】
図４は、本発明の一実施例によるタッチ認識方法が適用されるアプリケーション表示画面の例示図を表す。図４に示した表示画面は、（ａ）の方向キーを操作して（ｂ）の円を動かすゲームアプリケーションの表示画面である。図５は、本発明の一実施例による図４のアプリケーション表示画面中の（ａ）部分を座標値に対応させて示した例示図である。図５は、（ａ）部分を（０，０）から（１００，１５０）までの座標値に対応させて示している。本実施例では、ユーザが右方向キーをタッチ入力し、制御部１６０はユーザが入力した座標値を（５５，７５）と認識したと仮定する。
【００２４】
２１５ステップで、制御部１６０はタッチセンサー１４２を制御してタッチ位置が変更されたか否かを判断する。タッチセンサー１４２は、タッチが入力された位置が変更されたことを感知し、タッチ入力信号を発生させて制御部１６０に伝達する。タッチ入力信号には変更されたタッチ位置（ｘ２，ｙ２）に関する情報が含まれる。制御部１６０は、２２０ステップで、タッチセンサー１４２からタッチ入力信号を受信し、変更されたタッチ位置（ｘ２，ｙ２）を確認する。図４及び図５を参照して説明すると、ユーザがタッチスクリーンにタッチを入力した状態で指を動かし、制御部１６０はタッチ位置が（５０，７７）に変更されたと認識する。
【００２５】
次いで、制御部１６０は、２２５ステップで、タッチが入力された位置（ｘ１，ｙ１）と変更されたタッチ位置（ｘ２，ｙ２）間の距離（ｓ）を演算し、演算した距離（ｓ）が予め設定された臨界距離（Ｓｔｈ）以下に該当するか否かを判断する。本実施例による臨界距離（Ｓｔｈ）とは、ドラッグ（ｄｒａｇ）動作と認識するための最小限の移動距離を意味する。例えば、携帯端末機に臨界距離（Ｓｔｈ）が１８ピクセル（ｐｉｘｅｌｓ）と設定されている場合、ユーザがタッチ入力後、１８ピクセルを超過する移動動作を入力すれば、制御部１６０はユーザの動作をドラッグ動作と認識することになる。
【００２６】
図３は、本発明の一実施例によるドラッグ動作を区分するための臨界距離を示した例示図である。基準線を＠と設定する場合、ユーザが基準線にタッチを入力した後、１８ピクセルを超過して移動すれば、制御部１６０はユーザ動作をドラッグ動作と認識する。一方、ユーザが基準線＠を中心に１８ピクセル以下で移動すれば、制御部１６０はユーザ動作をドラッグ動作と認識せず単純なタッチ入力と認識する。臨界距離（Ｓｔｈ）を移動する時間により、移動動作はドラッグ（ｄｒａｇ）、ムーブ（ｍｏｖｅ）、フリック（ｆｌｉｃｋ）等で区分することができ、制御部１６０は移動速度を移動距離と共に測定し、ユーザが入力する動作をこれら三つの動作中のいずれか一つの動作と認識することができる。図４及び図５を参照して説明すると、制御部１６０は（５５，７５）及び（５０，７７）間の移動距離（ｓ）を演算し、演算された移動距離（ｓ）が臨界距離（Ｓｔｈ）以下に該当するか否かを判断する。
【００２７】
制御部１６０は、２２５ステップで、演算した距離（ｓ）が予め設定された臨界距離（Ｓｔｈ）以下に該当すると判断する場合、２３０ステップで、タッチセンサー１４２を制御してタッチ解除が発生したか否かを判断する。ユーザがタッチスクリーン部１４０を指でタッチした状態から指を離すと、タッチセンサー１４２はタッチ解除が発生したことを感知し、タッチ解除信号を発生させて制御部１６０に伝達する。本実施例により、タッチ解除信号にはタッチ解除が発生した位置に関する情報を含むことができる。制御部１６０はタッチセンサー１４２からタッチ解除信号を受信する。次いで、制御部１６０は、２３５ステップで、タッチが入力された位置（ｘ１，ｙ１）でタッチが解除されたと認識する。即ち、制御部１６０は、タッチが解除された位置（ｘ２，ｙ２）ではなくタッチが入力された位置（ｘ１，ｙ１）でタッチ解除が発生したと認識する。図４及び図５を参照して説明すると、制御部１６０は（５０，７７）ではなく（５５，７５）でタッチ解除が発生したと認識する。
【００２８】
２１５ステップで、制御部１６０が、タッチ位置が変更されたと判断しない場合、２４０ステップで、タッチセンサー１４２を制御してタッチ解除が発生したか否かを判断する。タッチセンサー１４２は、タッチ解除信号を発生させて制御部１６０に伝達し、制御部１６０はタッチセンサー１４２からタッチ解除信号を受信して、タッチが解除された位置（ｘ２，ｙ２）を確認する。制御部１６０は、２４５ステップで、タッチが解除された位置（ｘ２，ｙ２）でタッチが解除されたと認識する。
【００２９】
２２５ステップで、制御部１６０が演算した距離（ｓ）が予め設定された臨界距離（Ｓｔｈ）を超過すると判断する場合、２５０ステップで、制御部１６０は入力された動作をドラッグ動作と認識する。本実施例により、制御部１６０は入力時間を測定し、測定された結果により、ユーザの入力された動作をドラッグ、ムーブ、フリック中のいずれか一つの動作と認識することができる。制御部１６０は、表示部１４４を制御してドラッグ動作に対応するようにＧＵＩ（Ｇｒａｐｈｉｃ  Ｕｓｅｒ  Ｉｎｔｅｒｆａｃｅ）を移動させて表示することができる。
【００３０】
本実施例により、制御部１６０は、タッチセンサー１４２からタッチ入力信号及びタッチ解除信号を受信して、タッチが入力された位置及びタッチが解除された位置を確認し、二つの位置間の距離（ｓ）を演算し、予め設定された臨界距離（Ｓｔｈ）以下であると判断する場合、タッチが入力された位置でタッチが解除されたと認識することができる。
【００３１】
図６は、本発明の第２実施例によるタッチスクリーンを備えた装置におけるタッチ認識ステップを表すフローチャートである。
【００３２】
５０５ステップで、制御部１６０は、タッチセンサー１４２を制御してユーザからタッチが入力されたか否かを判断する。タッチセンサー１４２は、ユーザからタッチが入力されるとタッチ入力信号を発生させて制御部１６０に伝達する。制御部１６０が、タッチセンサー１４２からタッチ入力信号を受信すると、５１０ステップで、タッチが入力された位置（ｘ１，ｙ１）を確認する。本発明の実施例として、表示部１４４が操作領域と表示領域とに区分され、操作領域が所定の個数の区分領域で区分される場合、制御部１６０はタッチが入力された位置（ｘ１，ｙ１）がどの区分領域に含まれるのかを確認することができる。図４及び図５を参照して説明すると、（ａ）領域は操作領域に該当し、（ｂ）領域は表示領域に該当する。また、（ａ）領域は上方向、下方向、左方向、右方向領域で区分されている。図５を参照すると、（ａ）領域は上方向の三角形領域（角頂点（０，１５０）、（１００，１５０）、（５０，７５））、下方向の三角形領域（角頂点（０，０）、（１００，０）、（５０，７５））、左方向の三角形領域（角頂点（０，０）、（０，１５０）、（５０，７５））、右方向の三角形領域（角頂点（１００，０）、（１００，１５０）、（５０，７５））で区分された形態が示されている。本実施例では、ユーザが右方向キーにタッチを入力し、制御部１６０は、ユーザが入力した座標値を（５５，７５）と認識したと仮定する。本実施例により、制御部１６０は座標値（５５，７５）を確認して、タッチが入力された位置が右方向の三角形領域に含まれると認識することができる。
【００３３】
５１５ステップで、制御部１６０は、タッチセンサー１４２を制御してタッチ位置が変更されたか否かを判断する。タッチセンサー１４２は、タッチが入力された位置が変更されたことを感知し、タッチ入力信号を発生させて制御部１６０に伝達する。制御部１６０は、５２０ステップで、タッチセンサー１４２からタッチ入力信号を受信し、変更されたタッチ位置（ｘ２，ｙ２）を確認する。図４及び図５を参照して説明すると、ユーザがタッチスクリーンにタッチを入力した状態で指を動かし、制御部１６０はタッチ位置が（５０，７７）に変更されたことを認識したと仮定する。本実施例により、制御部１６０は座標値（５０，７７）を確認して、タッチが入力された位置が上方向の三角形領域に含まれると認識することができる。
【００３４】
５２５ステップで、制御部１６０は、タッチセンサー１４２を制御してタッチ解除が発生したか否かを判断する。タッチセンサー１４２は、タッチ解除信号を発生させて制御部１６０に伝達し、制御部１６０は、タッチセンサー１４２からタッチ解除信号を受信して、タッチが解除されたことを認識する。
【００３５】
５３０ステップで、制御部１６０は、５２０ステップで確認した変更されたタッチ位置が含まれる区分領域と、５１０ステップで確認したタッチが入力された位置が含まれる区分領域とが、同一の区分領域に該当するか否かを判断する。本実施例における「同一の区分領域」とは、タッチ発生時に同一の機能を遂行するように設定された範囲の領域を意味する。図４及び図５を参照して説明すると、制御部１６０は、５１０ステップでタッチが入力された位置を（５５，７５）と確認して右方向の三角形領域に含まれると認識し、５２０ステップで変更されたタッチ位置を（５０，７７）と確認して上方向の三角形領域に含まれると認識した。この場合、制御部１６０は、変更されたタッチ位置が含まれる領域と、タッチが入力された位置が含まれる領域とが、同一の領域に含まれていないと判断する。この場合、制御部１６０は、５３５ステップで、タッチが入力された位置（ｘ１，ｙ１）でタッチが解除されたと認識する。図４及び図５を参照して説明すると、制御部１６０は（５５，７５）でタッチが解除されたと認識する。即ち、制御部１６０は、タッチ位置の移動動作はユーザが意図した動作ではないと判断し、タッチが解除された時の位置ではなく、最初にタッチを入力した位置でタッチが解除されたと認識する。
【００３６】
タッチが入力された位置が（５５，７５）と確認され、変更されたタッチ位置が（５７，７５）と確認された場合、二つの座標の両方とも右方向の三角形領域に含まれ、同一の区分領域に該当する。この場合、制御部１６０は、５３０ステップで、変更されたタッチ位置が含まれる区分領域と、タッチが入力された位置が含まれる区分領域とが、同一の区分領域に該当すると判断する。この時、制御部１６０は、５４５ステップで、タッチが解除された位置でタッチが解除されたと認識する。５１５ステップでタッチ位置が変更されなければ、制御部１６０は、５４０ステップでタッチセンサー１４２を制御してタッチが解除されたか否かを判断し、タッチが解除されたと認識すると、５４５ステップでタッチが解除された位置でタッチが解除されたと認識する。
【００３７】
本発明の実施例として、上記タッチ認識方法は、ハードウェア又はＣＤ  ＲＯＭ、ＲＡＭ、フロッピー（登録商標）ディスク、ハードディスク、又はマグネチックオプティカルディスクのような格納媒体に格納されるか、ネットワークによってダウンロードできるソフトウェア又はコンピュータコードにより成り立つ。そこで、上記タッチ認識方法は、一般のコンピュータ又は特別プロセッサーを利用するソフトウェアによって実行されるか、或いは、ＡＳＩＣ又はＦＰＧＡのようなプログラム可能であるか、専用のハードウェア上で実行することができる。コンピュータ、プロセッサー、又はプログラム可能なハードウェアは、ＲＡＭ、ＲＯＭ、Ｆｌａｓｈのようなコンピュータ、プロセッサーによってアクセスされて実行される際、ソフトウェア又はコンピュータコードを格納或いは受信するメモリー構成要素を含む。
【００３８】
以上、図面を参照しながら本発明の実施形態について詳細に説明したが、本発明は、上述の実施形態に限定されるものではなく、本発明の技術的範囲から逸脱しない範囲内で多様に変更実施することが可能である。
【符号の説明】
【００３９】
１１０    無線通信部
１２０    オーディオ処理部
１３０    格納部
１４０    タッチスクリーン部
１４２    タッチセンサー
１４４    表示部
１５０    キー入力部
１６０    制御部
【図１】
2010287241.tif 000003
【図２】
2010287241.tif 000004
【図３】
2010287241.tif 000005
【図４】
2010287241.tif 000006
【図５】
2010287241.tif 000007
【図６】
2010287241.tif 000008
【図７】
2010287241.tif 000009
【図８】
2010287241.tif 000010